(57)【要約】【課題】  安価で容易に種々の視機能検査を行うことができるとともに、視力検査を精度よく行う。【解決手段】  被検者の視力検査を行う視力検査装置であって、第１視標光束を出射し、被検眼に第１検査視標を呈示する第１視標呈示部と、第１視標呈示部と異なる視標呈示部であって、第２視標光束を出射して、被検眼に前記第１検査視標よりも精細度の低い第２検査視標を呈示する第２視標呈示部と、第１視標呈示部及び第２視標呈示部を収納する筐体と、第１検査視標及び第２検査視標を筐体の内部から外部に向けて呈示するための呈示窓であって、筐体に設けられた呈示窓と、を備える。【選択図】      図１
2019118501.tif 000002
【特許請求の範囲】
【請求項１】
被検者の視力検査を行う視力検査装置であって、
第１視標光束を出射し、被検眼に第１検査視標を呈示する第１視標呈示部と、
前記第１視標呈示部と異なる視標呈示部であって、第２視標光束を出射して、前記被検眼に前記第１検査視標よりも精細度の低い第２検査視標を呈示する第２視標呈示部と、
前記第１視標呈示部及び前記第２視標呈示部を収納する筐体と、
前記第１検査視標及び前記第２検査視標を前記筐体の内部から外部に向けて呈示するための呈示窓であって、前記筐体に設けられた呈示窓と、
を備えることを特徴とする視力検査装置。
【請求項２】
請求項１の視力検査装置において、
前記第１視標呈示部からの前記第１視標光束が前記被検眼に導光される第１光路と、前記第２視標呈示部からの前記第２視標光束が前記被検眼に導光される第２光路と、切り換える光路切換手段を備えることを特徴とする視力検査装置。
【請求項３】
請求項２の視力検査装置において、
前記光路切換手段は、前記第１光路と、前記第２光路と、で共有される反射部材を備え、
前記反射部材は、前記第１光路における前記反射部材から前記被検眼までの間の光軸と、前記第２光路における前記反射部材から前記被検眼までの間の光軸と、を同軸とすることを特徴とする視力検査装置。
【請求項４】
請求項３の視力検査装置において、
前記光路切換手段は、前記反射部材の傾斜角度を変更するための第１駆動手段を有し、前記第１駆動手段を駆動することによって、前記反射部材の傾斜角度を変更し、前記第１光路と前記第２光路とを切り換えることを特徴とする視力検査装置。
【請求項５】
請求項１〜３のいずれかの視力検査装置において、
前記第１視標呈示部と、前記第２視標呈示部と、同時に点灯させることによって、前記被検眼に前記第１検査視標と、前記第２検査視標と、を同時に呈示させる制御を行う表示制御手段を備えることを特徴とする視力検査装置。
【請求項６】
請求項１〜５のいずれかの視力検査装置において、
前記第１視標呈示部は、視標呈示用可視光源と、複数の視標を備える視標板と、を有し、前記視標呈示用可視光源からの光束が前記視標板を介して前記被検眼に導光されることで、前記第１検査視標を前記被検眼に呈示し、
前記第１検査視標は、視力検査視標であることを特徴とする視力検査装置。
【請求項７】
請求項１〜６のいずれかの視力検査装置において、
前記第２視標呈示部は、ディスプレイであって、前記ディスプレイからの光束が前記被検眼に導光されることで、前記第２検査視標を前記被検眼に呈示することを特徴とする視力検査装置。
【請求項８】
請求項１〜７のいずれかの視力検査装置において、
前記第２視標呈示部を光軸方向に移動させる第２駆動手段を有し、前記第２視標呈示部を光軸方向に移動させることで、前記被検眼に対する前記第２検査視標の呈示距離を変更する呈示距離変更手段を備えること特徴とする視力検査装置。
【発明の詳細な説明】
【技術分野】
【０００１】
本開示は、被検眼に検査視標を呈示して視力検査を行うための視力検査装置に関する。
【背景技術】
【０００２】
例えば、被検者が視標窓に呈示された検査視標を確認することによって、被検眼の視機能（例えば、視力等）を測定する視力検査装置が知られている（例えば、特許文献１参照）。このような、視力検査装置においては、被検眼に視標を呈示するための視標呈示部として検査視標が印刷された視標板を用いている。検査視標が印刷された視標板を用いることで、視標呈示用可視光源からの光束を視標板を介して被検眼に導光することで、高精細な検査視標を被検眼に呈示することを可能としている。
【先行技術文献】
【特許文献】
【０００３】
【特許文献１】特開２０００−２８７９２６号公報
【発明の概要】
【発明が解決しようとする課題】
【０００４】
しかしながら、上述のような視力検査装置を用いて視力検査を行う場合、高精細な検査視標を被検者に呈示するために、視標板に視標を印刷した構成を用いているため、呈示可能な検査視標が限定されてしまう。また、呈示可能な検査視標を多くするために、ディスプレイを用いる場合に、使用するディスプレイによっては、精細度が低く、小さな検査視標を呈示する場合には良好に呈示することができない。また、高精細な検査視標を呈示可能なディスプレイを用いる場合には、コストが高くなってしまう。
【０００５】
本開示は、上記従来技術に鑑み、安価で容易に種々の視機能検査を行うことができるとともに、視力検査を精度よく行うことができる視力検査装置を提供することを技術課題とする。
【課題を解決するための手段】
【０００６】
上記課題を解決するため、本開示は以下の構成を備えることを特徴とする。
【０００７】
本開示に係る視力検査装置は、被検者の視力検査を行う視力検査装置であって、第１視標光束を出射し、被検眼に第１検査視標を呈示する第１視標呈示部と、前記第１視標呈示部と異なる視標呈示部であって、第２視標光束を出射して、前記被検眼に前記第１検査視標よりも精細度の低い第２検査視標を呈示する第２視標呈示部と、前記第１視標呈示部及び前記第２視標呈示部を収納する筐体と、前記第１検査視標及び前記第２検査視標を前記筐体の内部から外部に向けて呈示するための呈示窓であって、前記筐体に設けられた呈示窓と、を備え、前記被検眼が前記呈示窓を覗き込むことによって、前記第１検査視標と前記第２検査視標との少なくとも一方を確認し、前記被検眼の視力検査を行うことを特徴とする。
【図面の簡単な説明】
【０００８】
【図１】視力検査装置の外観構成図である。
【図２】視力検査装置の光学系と制御系を示す概略図である。
【図３】視力検査装置の光学系を上部から見たときの概略図である。
【図４】ディスプレイの画面に表示される第２検査視標の一例を示す図である。
【図５】被検眼が斜視眼でない場合における第２検査視標の一例を示す図である。
【図６】光路切換手段の変容例について示す図である。
【発明を実施するための形態】
【０００９】
以下、典型的な実施形態の１つについて、図面を参照して説明する。図１〜図６は本実施形態に係る視力検査装置について説明するための図である。なお、以下の＜＞にて分類された項目は、独立又は関連して利用され得る。
【００１０】
＜概要＞
典型的な実施形態の１つについて、図面を参照して説明する。図１〜図６は、本実施形態に係る視力検査装置を説明する図である。なお、以下の＜＞にて分類された項目は、独立または関連して利用され得る。また、以下において符号に付されるＬとＲは、それぞれ左眼用と右眼用を示すものとする。
【００１１】
例えば、本実施例における視力検査装置（例えば、視力検査装置１）は、被検者眼（被検眼）の視力検査を行うために用いられる。
【００１２】
例えば、視力検査装置は、第１視標呈示部（例えば、第１視標呈示部２０）と、第２視標呈示部（例えば、第２視標呈示部６０）と、筐体（例えば、筐体９）と、を備えていてもよい。例えば、第１視標呈示部は、第１視標光束を出射し、被検眼に第１検査視標を呈示するようにしてもよい。例えば、第２視標呈示部は、第１視標呈示部と異なる視標呈示部であって、第２視標光束を出射して、被検眼に第１検査視標よりも精細度の低い第２検査視標（低精細の第２検査視標）を呈示するようにしてもよい。すなわち、例えば、第２視標呈示部は、被検眼に第１検査視標よりも分解能の低い第２検査視標を呈示するようにしてもよい。言い換えると、例えば、第１視標呈示部は、第２視標呈示部と異なる視標呈示部であって、第１視標光束を出射して、被検眼に第２検査視標よりも精細度の高い第１検査視標（高精細の第１検査視標）を呈示するようにしてもよい。すなわち、例えば、第１視標呈示部は、被検眼に第２検査視標よりも分解能の高い第１検査視標を呈示するようにしてもよい。
【００１３】
例えば、筐体は、第１視標呈示部及び第２視標呈示部を収納するようにしてもよい。例えば、筐体には、呈示窓（例えば、呈示窓２）が設けられていてもよい。例えば、呈示窓は、第１検査視標及び第２検査視標を筐体の内部から外部に向けて呈示するようにしてもよい。上記のような構成を備える視力検査装置において、例えば、視力検査装置は、被検者が呈示窓を覗き込むことによって、第１検査視標と第２検査視標との少なくとも一方を確認し、被検眼の視力検査を行うようにしてもよい。このような構成によって、例えば、精細度が高い検査視標と精細度が低い検査視標とを被検眼に容易に呈示することが可能となり、安価で容易に種々の視機能検査を行うことができるとともに、視力検査を精度よく行うことができる。
【００１４】
なお、視力検査装置としては、覗き込むことで視力検査を行う構成に限定されない。例えば、被検眼に対して検査視標を呈示する装置であれば本開示の技術を適用できる。一例として、視標呈示部が収納された筐体に対して、被検眼の光学特性を矯正するための矯正手段が一体的に連結された装置においても本開示の技術は適用可能である。
【００１５】
＜第１視標呈示部＞
例えば、第１視標呈示部としては、第２視標呈示部よりも精細度の高い検査視標を呈示できる構成であればよい。例えば、第１視標呈示部としては、視標呈示用可視光源と、視標板と、を有する構成であってもよい。この場合、例えば、第１視標呈示部は、視標呈示用可視光源と、複数の視標を備える視標板と、を有し、視標呈示用可視光源からの光束が前記視標板を介して被検眼に導光されることで、第１検査視標を被検者に呈示するようにしてもよい。
【００１６】
例えば、視標板は、回転可能なディスク板（例えば、ガラスディスク、アクリルディスク等）であり、複数の視標を持つようにしてもよい。例えば、視標板はモータ等によって回転され、視標は、被検眼に視標光束が導光される光路上で切換え配置される。もちろん、視標光束を投影する光源としては、上記構成以外の光源を用いてもよい。また、例えば、視標板は上記構成に限定されない。
【００１７】
例えば、第１検査視標としては、視力検査（静止視力検査）を行うための視力検査視標であってもよい。この場合、例えば、視標板に設けられる複数の視標は、例えば、視力値（静止視力値）を検査するための視力検査視標、等を含むようにしてもよい。例えば、視力検査視標は、視力値毎の視標（視力値０．１、０．２、０．３、・・・、１．５）が用意されているようにしてもよい。例えば、第２検査視標としては、ランドルト環視標と、タンブリングＥ視標と、文字視標（例えば、ひらがな視標と、アルファベット視標と、数字視標と、等の少なくともいずれか）等の少なくともいずれかであってもよい。もちろん、第１検査視標としては、視力検査視標に限定されない。例えば、第１検査視標としては、視力値と異なる視機能を検査する特殊視標を含むようにしてもよい。この場合、例えば、第１検査視標としては、高い視力値を検査するための高視力用の視力検査視標を少なくとも含むようにしてもよい。
【００１８】
例えば、第１視標呈示部は、左右一対に設けられた右眼用第１視標呈示部（例えば、第１視標呈示部２０Ｒ）と左眼用第１視標呈示部（例えば、第１視標呈示部２０Ｌ）を有するようにしてもよい。例えば、右眼用第１視標呈示部と左眼用第１視標呈示部は、右眼用第１視標呈示部を構成する部材と左眼用第１視標呈示部を構成する部材とが、同一の部材によって構成されていてもよい。また、例えば、右眼用第１視標呈示部と左眼用第１視標呈示部は、右眼用第１視標呈示部を構成する部材と左眼用第１視標呈示部を構成する部材とで少なくとも一部の部材が異なる部材によって構成されていてもよい。例えば、右眼用第１視標呈示部と左眼用第１視標呈示部は、右眼用第１視標呈示部を構成する部材と左眼用第１視標呈示部を構成する部材とで少なくとも一部の部材が兼用されている構成であってもよい。また、例えば、右眼用第１視標呈示部と左眼用第１視標呈示部は、右眼用第１視標呈示部を構成する部材と左眼用第１視標呈示部を構成する部材とが、別途それぞれ設けられている構成であってもよい。
【００１９】
＜第２視標呈示部＞
例えば、第２視標呈示部としては、  ディスプレイ（例えば、ディスプレイ６１）を用いる構成であってもよい。例えば、ディスプレイには、第２検査視標が表示される。この場合、例えば、第２視標呈示部は、ディスプレイであって、ディスプレイからの光束が被検者に導光されることで、第２検査視標を被検眼に呈示する。例えば、ディスプレイとしては、ＬＣＤ（Liquid Crystal Display）や有機ＥＬ（Electro Luminescence）等が用いられる。
【００２０】
また、例えば、第２視標呈示部としては、光源とＤＭＤ（Digital Micromirror Device）を用いるようにしてもよい。一般的にＤＭＤは反射率が高く、明るい。そのため、偏光を用いる液晶ディスプレイを用いた場合と比べ、視標光束の光量を維持できる。
【００２１】
例えば、第２検査視標としては、視力検査（静止視力検査）を行うための視力検査視標と異なる視標であってもよい。つまり、例えば、第２検査視標は、視力値（静止視力値）とは異なる視機能を検査するための検査視標（特殊視標）であってもよい。例えば、異なる視機能を検査するため第２検査視標としては、両眼視機能検査用視標（例えば、立体視検査用視標、斜位検査用視標、斜視検査用視標等の少なくともいずれか）、乱視検査用視標、動体視力検査用視標等の少なくともいずれかのであってもよい。例えば、異なる視機能を検査するため第１検査視標としては、静止画像、動画画像の少なくともいずれかが表示されてもよい。もちろん、第１検査視標としては、視力値と異なる視機能を検査する特殊視標に限定されず、一部の視力検査視標であってもよい。この場合、例えば、低い視力値を検査するための低視力用の視力検査視標として用いられてもよい。
【００２２】
例えば、第２視標呈示部は、左右一対に設けられた右眼用第２視標呈示部（例えば、第２視標呈示部６０Ｒ）と左眼用第２視標呈示部（例えば、第２視標呈示部６０Ｌ）を有するようにしてもよい。例えば、右眼用第２視標呈示部と左眼用第２視標呈示部は、右眼用第２視標呈示部を構成する部材と左眼用第２視標呈示部を構成する部材とが、同一の部材によって構成されていてもよい。また、例えば、右眼用第２視標呈示部と左眼用第２視標呈示部は、右眼用第２視標呈示部を構成する部材と左眼用第２視標呈示部を構成する部材とで少なくとも一部の部材が異なる部材によって構成されていてもよい。例えば、右眼用第２視標呈示部と左眼用第２視標呈示部は、右眼用第２視標呈示部を構成する部材と左眼用第２視標呈示部を構成する部材とで少なくとも一部の部材が兼用されている構成であってもよい。また、例えば、右眼用第２視標呈示部系と左眼用第２視標呈示部は、右眼用第２視標呈示部を構成する部材と左眼用第２視標呈示部を構成する部材とが、別途それぞれ設けられている構成であってもよい。
【００２３】
＜光路切換手段＞
例えば、視力検査装置は、光路切換手段（例えば、光路切換手段７０）を備えるようにしてもよい。例えば、光路切換手段は、第１視標呈示部からの第１視標光束が被検眼に導光される第１光路と、第２視標呈示部からの第２視標光束が被検眼に導光される第２光路と、切り換えるようにしてもよい。例えば、第１光路と第２光路とを切り換えることによって、実施したい検査に応じた視標呈示部を選択して、種々の視標を被検眼に容易に呈示することができる。
【００２４】
例えば、光路切換手段としては、第１光路と、第２光路と、で共有される反射部材を備えるようにしてもよい。この場合、例えば、反射部材は、第１光路における反射部材から被検眼までの間の光軸（例えば、光軸Ｌ１Ｒ）と、第２光路における反射部材から被検眼までの間の光軸（例えば、光軸Ｌ２Ｒ）と、を同軸とする構成であってもよい。なお、本実施形態において、同軸とは略同軸を含む。例えば、反射部材を用いた容易な構成で光路を切り換えることが可能となる。
【００２５】
例えば、反射部材としては、ミラー（例えば、ハーフミラー、全反射ミラー、ビームスプリッタ等）、プリズム、等のいずれかであってもよい。もちろん、例えば、反射部材は、上記反射部材に限定されず、上記反射部材と異なる反射部材が用いられるようにしてもよい。例えば、反射部材としては、少なくとも１つ以上の反射部材であってもよい。なお、反射部材を複数用いる場合に、異なる特性の反射部材が組み合わせられて用いられてもよい。
【００２６】
例えば、光路切換手段は、固定された反射部材を用いて第１光路と第２光路を切り換える構成であってもよい。また、例えば、光路切換手段は、反射部材を駆動して第１光路と第２光路を切り換える構成であってもよい。
【００２７】
例えば、光路切換手段が固定された反射部材を用いる場合、光路切換手段は、第１視標呈示部と第２視標呈示部との一方を点灯することによって、第１光路と第２光路を切り換えるようにしてもよい。この場合、例えば、反射部材としては、第１視標呈示部と第２視標呈示部との一方の視標呈示部からの視標光束を透過し、他方の視標呈示部からの視標光束を反射する反射部材を用いるようにしてもよい。一例として、例えば、ハーフミラー（例えば、ハーフミラー７１）を用いるようにしてもよい。このような反射部材を用いることによって、一方の視標光束と他方の視標光束とが、反射部材によって、反射部材から被検眼までの光路が共通化される。例えば、第１視標呈示部と第２視標呈示部との点灯が切り換えられることによって、点灯された視標呈示部の視標光束のみを反射部材を介して被検眼に導光することができる。
【００２８】
例えば、光路切換手段が反射部材を駆動する構成の場合、光路切換手段は、反射部材の傾斜角度を変更することによって、第１光路と第２光路を切り換える構成であってもよい。また、例えば、光路切換手段が反射部材を駆動する構成の場合、光路切換手段は、反射部材を移動させることによって第１光路と第２光路を切り換える構成であってもよい。
【００２９】
例えば、反射部材の傾斜角度を変更する構成として、光路切換手段は、反射部材の傾斜角度を変更するための第１駆動手段（例えば、モータ７６）を有し、第１駆動手段を駆動することによって、反射部材の傾斜角度を変更し、第１光路と第２光路とを切り換えるようにしてもよい。上記のように、例えば、傾斜角度を変更することによって、より精度よく被検眼に各視標光束を導光することができる。これによって、被検眼に良好に検査視標を呈示することが可能となり、精度のよい種々の視機能検査を行うことができる。なお、例えば、傾斜角度が変更される反射部材は、少なくとも１つ以上の反射部材であってもよい。なお、例えば、反射部材の傾斜角度を変更することで、第１光路と第２光路とを切り換える構成としては、反射部材の傾斜角度を微調整することによって、第１光路と第２光路との少なくともいずれかの光路からの視標光束をより精度よく被検眼に導光する構成を含む。
【００３０】
例えば、反射部材を移動させる構成として、光路切換手段は、第１光路及び第２光路の少なくともいずれかに反射部材を挿脱するようにしてもよい。この場合、例えば、反射部材を挿脱するための第３駆動手段を備えていてもよい。例えば、第３駆動手段が駆動されることによって、反射部材が挿脱されるようにしてもよい。なお、例えば、挿脱される反射部材は、少なくとも１つ以上の反射部材であってもよい。例えば、反射部材を挿脱することによって、容易に光路を切り換えることができる。
【００３１】
また、例えば、光路切換手段は、第１光路と第２光路を切換えるために、反射部材を第１光路及び第２光路の少なくともいずれかの光路中で移動する構成としてもよい。この場合、例えば、第１光路と第２光路の少なくともいずれかにおいて移動可能な反射部材を備える構成であってもよい。また、例えば、反射部材を第１光路と第２光路の少なくともいずれかにおいて移動させる第４駆動手段を備える構成であってもよい。なお、例えば、移動される反射部材は、少なくとも１つ以上の反射部材であってもよい。また、例えば、反射部材としては、第１光路と第２光路のいずれかの反射部材を用いてもよい。また、例えば、反射部材としては、第１光路と第２光路のいずれかの反射部材とは別途設けられた異なる反射部材を用いてもよい。
【００３２】
なお、例えば、光路切換手段は、上記構成に限定されない。例えば、光路切換手段は、
第１光路と第２光路を切換えることができる構成であればよい。また、例えば、光路切換手段は、上記構成を組み合わせた構成であってもよい。一例として、例えば、第１視標呈示部と第２視標呈示部の点灯を切り換えるとともに、反射部材の傾斜角度を変更する構成であってもよい。もちろん、例えば、光路切換手段は、異なる構成を組み合わせてもよい。
【００３３】
なお、上記の光路切換手段において、反射部材を用いる構成を例に挙げているがこれに限定されない。例えば、光学部材（例えば、レンズ等）を用いることによって、第１光路と第２光路とを切り換えるようにしてもよい。  
【００３４】
＜呈示距離変更手段＞
例えば、視力検査装置は、第２視標呈示部を移動させて第２検査視標の呈示距離を変更する呈示距離変更手段（例えば、呈示距離変更手段６２）を設けてもよい。この場合、例えば、呈示距離変更手段は、第２視標呈示部を光軸方向に移動させる第２駆動手段（例えば、モータ６３）を有し、第２視標呈示部を光軸方向に移動させることで、被検眼に対する第２検査視標の呈示距離を変更する呈示距離変更手段を備えるようにしてもよい。なお、呈示距離変更手段としては、光学的に呈示距離を変更する構成であってもよい。このような構成を設けることによって、例えば、種々の検査距離にて第２検査視標を呈示することが可能となり、種々の呈示距離にて種々の視機能検査を行うことができる。もちろん、例えば、視力検査装置は、第１視標呈示部を移動させて第１検査視標の呈示距離を変更する呈示距離変更手段を設けてもよい。
【００３５】
なお、例えば、呈示距離を変更した場合に、第２視標呈示部からの第２視標光束が被検者に良好に呈示されるように、調整を行うようにしてもよい。例えば、呈示距離を変更した場合に、第２視標呈示部からの第２視標光束が被検眼に良好に呈示されるように、光学部材を用いて、第２視標光束の照射位置を変更するようにしてもよい。一例として、例えば、呈示距離を変更した場合に、第２光路において、反射部材の傾斜角度を変更することによって、第２視標光束の照射位置を変更するようにしてもよい。この場合、例えば、光路切換手段における反射部材が用いられるようにしてもよい。例えば、呈示距離変更手段は、第２視標呈示部を光軸方向に移動させることで、被検眼に対する第２検査視標の呈示距離を変更し、光路切換手段は、呈示距離に応じた傾斜角度に反射部材の傾斜角度を変更するようにしてもよい。
【００３６】
なお、例えば、視力検査装置は、第１検査視標と第２検査視標を同時に呈示可能な表示制御手段を設けてもよい。この場合、例えば、視力検査装置は、第１視標呈示部と、第２視標呈示部と、を同時に点灯させることによって、被検眼に第１検査視標と、第２検査視標と、を同時に呈示させる制御を行う表示制御手段（例えば、制御部３０）を備えるようにしてもよい。例えば、第１検査視標と第２検査視標を重ねて確認することができ、２つの検査視標の組み合わせから、より様々な種類の検査視標を呈示することが可能となる。例えば、２つの検査視標を組わせることで、実距離に近い状態での両眼視機能検査用視標の呈示を行うことができる。
【００３７】
なお、第１視標呈示部と第２視標呈示部とを同時に点灯させる構成の場合に、視力検査装置は、第１視標呈示部からの第１視標光束が被検眼に導光される第１光路と、第２視標呈示部からの第２視標光束が被検眼に導光される第２光路と、で共有される光学部材を備えるようにしてもよい。例えば、光学部材は、第１光路における光軸と、第２光路における光軸と、を同軸とするようにしてもよい。例えば、第１光路と第２光路の光軸を同軸とする構成によって、第１視標呈示部と、第２視標呈示部と、同時に点灯させ、被検眼に、第１検査視標と第２検査視標を重ねて呈示することができる。例えば、光学部材としては、ミラー（例えば、ハーフミラー等）、プリズム、レンズ等の少なくともいずれかであってもよい。なお、光路切換手段における反射部材を上記光学部材として用いるようにしてもよい。この場合、例えば、第１視標呈示部と、第２視標呈示部と、の一方を点灯することによって、被検眼に第１検査視標又は第２検査視標が呈示され、双方を点灯することによって、被検眼に第１検査視標と第２検査視標が同時に呈示されるようにしてもよい。
【００３８】
＜実施例＞
以下、本実施例の視力検査装置について説明する。例えば、図１は、本実施例に係る視力検査装置１の外観図である。なお、以下符号に付されるＲ、Ｌはそれぞれ右眼用、左眼用を示すものとする。
【００３９】
例えば、視力検査装置１は筺体９を備える。例えば、筺体９の前側の上部には、呈示窓２が設けられている。呈示窓２は、検査視標（第１検査視標、第２検査視標）を筺体９の内部から外部に向けて呈示する。例えば、本実施例における呈示窓２は、左眼用呈示窓２Ｌと右眼用呈示窓２Ｒとを有している。例えば、被検者は呈示窓２（左眼用呈示窓２Ｌ及び右眼用呈示窓２Ｒ）を覗き込むことによって、第１検査視標及び第２検査視標を確認し、被検眼の視力検査を行うことができる。
【００４０】
例えば、筺体９の前側の中央部には、スピーカ６が設けられている。スピーカ６は左右一対であり、音声ガイド等が出力される。もちろん、スピーカ６は、左右で１つのスピーカを用いる構成であってもよい。例えば、筺体９の前側の下部には、入力ボタン３、応答ボタン４、応答レバー（ジョイスティック）５、応答ボタン５０、が設けられている。入力ボタン３は、被検者が視力検査を開始する信号を入力する際に用いる。応答ボタン４は、被検者が呈示された検査視標（第１検査視標、第２検査視標）を判読できない際に用いる。応答レバー５は、被検者が呈示された第１検査視標を判読して、その方向を応答する際に用いる。例えば、本実施例における応答レバー５は、呈示される第１検査視標の上下左右の４つの方向に対応する前後左右の４つの方向に傾倒可能であり、４つの方向の信号を入力することができる。例えば、応答ボタン５０は、第２検査視標における検査の応答をする際に用いられる。
【００４１】
例えば、筺体９の側部には、プリンタ７が設けられている。プリンタ７は検査結果を出力するために用いる。例えば、筺体９の上部には、ランプ８が設けられている。ランプ８は、検者に検査状況や検査結果等を報知する。ランプ８は、被検者が呈示窓２を覗き込んだときにみえない位置に配置されている。ランプ８は、複数のＬＥＤ（発光ダイオード）を備えており、多色（例えば、緑色と橙色の２色）発光が可能である。もちろん、ランプ８は１つのＬＥＤからなり、単色発光する構成であってもよい。
【００４２】
また、例えば、筺体９の側部には、ケーブル４２を介してコントロールボックス４０が接続されている。コントロールボックス４０は、視力検査装置１のパラメータ等を入力す
るための操作部と、入力されたパラメータ等を確認するための表示部と、を兼ねるタッチパネル式のモニタ４１を備える。なお、コントロールボックス４０は、筐体９の外部に設けられる構成に限定されず、筐体９に一体的に設けられる構成であってもよい。
【００４３】
＜光学系＞
例えば、図２は、視力検査装置１の光学系を右側面から見たときの概略図であり、制御系の構成も共に図示している。また、例えば、図３は、視力検査装置１の光学系を上部から見たときの概略図である。なお、本実施例においては、側面における光学系の説明については、右側面から見た右眼用の光学系を例に挙げて説明する。本実施例において、右側面から見た右眼用の光学系は、左側面から見た左眼用の光学系と同様の構成であるため、側面図における左眼用の光学系の説明は省略する。
【００４４】
例えば、左右の呈示窓２Ｒ，２Ｌにはそれぞれレンズ１０Ｒ，１０Ｌが配置され、後方の視標窓１２（右視標窓１２Ｒ，左視標窓１２Ｌ）にそれぞれ切替え配置される第１検査視標が被検眼（左被検眼ＥＬ，右被検眼ＥＲ）から見かけ上５ｍの検査距離にされる。例えば、左右の光路は中央に仕切り板を持つ筒状の内部カバー１１Ｒ，１１Ｌによって区分けされ、左右眼が視標を見る視野空間が個別に確保されている。この内部カバー１１Ｒ，１１Ｌは共に同一形状で、呈示窓２Ｒ，２Ｌのそれぞれの中心軸（レンズ１０Ｒ，１０Ｌのそれぞれの光軸）を中心にして左右の内壁面が対称に形成されており、後方の視標窓１２Ｒ，１２Ｌも同一位置に設けられている。したがって、左右両眼で呈示窓２Ｒ，２Ｌを介して内部を観察したときには、左右眼単独で内部を観察したときと同様に、２つの視標窓１２Ｒ，１２Ｌは融像して１つに見えると共に、内部カバー１１Ｒ，１１Ｌも左右の壁が同じ状態で１つの空間として観察される。このため、被検者は光学的に遠方距離（５ｍ）に置かれる第１検査視標を違和感なく見ることができる。なお、本実施例においては、第１視標呈示部２０からの第１視標光束が被検者に導光される第１光路における第１光軸Ｓ１Ｒ，Ｓ１Ｌと、検査窓２Ｒ，２Ｌのそれぞれの中心軸が同軸となっている。なお、本実施例において、同軸は略同軸を含む。
【００４５】
なお、内部カバー１１Ｒ，１１Ｌの内面にはつや消しの白塗装が施されており、通常の視力検査時や視力回復時間測定のための明順応時には照明ランプ１２Ｒ，１２Ｌの点灯によって共に所定の明るさにされる。照明ランプ１７Ｒ，１７Ｌはその照明光が直接被検眼に入射しない位置に置かれている。
【００４６】
例えば、第１視標呈示部２０は、視標窓１２に第１検査視標を切り換えて配置するために用いられる。例えば、第１視標呈示部２０は、視標板２１、モータ２２、視標照明ランプ２４Ｌ及び２４Ｒ、を備える。視標板２１は透光性をもつガラス板からなる。このガラス板上には、方向性のある第１検査視標（例えば、上下左右に方向性をもつランドルト環視標等）が、遮光性をもつクロムコートによって形成されている。例えば、このような第１検査視標は、視力値０．１〜１．０、１．２、１．５、の１２段階で形成されていてもよい。また、例えば、このような第１検査視標は、左被検眼ＥＬ（以下、被検眼ＥＬと記載）及び右被検眼ＥＲ（以下、被検眼ＥＲと記載）に対して、対となる同一の左眼用第１検査視標と右眼用第１検査視標を同時に呈示できるように、それぞれを視標窓１２Ｌ及び１２Ｒの位置に対応させて形成してもよい。
【００４７】
例えば、モータ２２は、視標板２１を回転させる。これにより、左眼用第１検査視標と右眼用第１検査視標とが、視標窓１２Ｌと視標窓１２Ｒとにそれぞれ配置される。視標照明ランプ２４Ｌ及び２４Ｒは、視標板２１を背面から照明する。これにより、視標窓１２Ｌ及び１２Ｒに配置された第１検査視標は、呈示窓２Ｌ及び呈示窓２Ｒに向けて呈示される。
【００４８】
例えば、第２視標呈示部６０は、ディスプレイ６１を備える。例えば、ディスプレイ６１には、視力検査を行うための視力検査視標と異なる第２検査視標（特殊視標）が表示される。例えば、ディスプレイ６１には、第２検査視標として、両眼視機能検査用視標（例えば、立体視検査用視標、斜位検査用視標、斜視検査用視標等の少なくともいずれか）、乱視検査用視標、動体視力検査用視標等の少なくともいずれかが表示される。
【００４９】
例えば、呈示距離変更手段６２は、ディスプレイ６１を移動させ、呈示距離を変更することができる。例えば、呈示距離変更手段６２は、モータ６３を備える。なお、本実施例において、制御部３０が、呈示距離変更手段６２の制御部として用いられる。例えば、制御部３０によって、モータ６３が駆動されることによって、ディスプレイ６１が移動される。例えば、ディスプレイ６１は、モータ６３からなる駆動機構により第２視標呈示部からの第２視標光束が被検眼ＥＲに導光される第２光路における第２光軸Ｓ２Ｒ方向に移動される。例えば、検査時において、ディスプレイ６１が移動されることにより、被検眼ＥＲに対する第２検査視標の呈示位置（呈示距離）が変えられることになる。これによって、例えば、種々の検査距離にて第２検査視標を呈示することが可能となり、種々の呈示距離にて種々の視機能検査を行うことができる。
【００５０】
例えば、光路切換手段７０は、第１視標呈示部２０からの第１視標光束が被検眼ＥＲに導光される第１光路と、第２視標呈示部６０からの第２視標光束が被検眼ＥＲに導光される第２光路と、切り換えるために用いられる。本実施例において、光路切換手段７０は、ハーフミラー７１を備える。なお、本実施例においては、制御部３０が光路切換手段７０の制御部として用いられる。
【００５１】
例えば、ハーフミラー７１は、第１視標呈示部２０からの第１視標光束が被検眼ＥＲに導光される第１光路と、第２視標呈示部６０からの第２視標光束が被検眼ＥＲに導光される第２光路と、切り換える光路切換手段の一部として用いられる。なお、ハーフミラーと異なる反射部材が用いられてもよい。例えば、ハーフミラー７１は、第１光路と、第２光路と、で共有される。すなわち、例えば、ハーフミラー７１は、第１光路中及び第２光路中に配置されている。例えば、ハーフミラー７１は、第１視標呈示部２０の第１光路におけるハーフミラー７１から被検眼ＥＲまでの間の光軸Ｌ１Ｒ（光軸Ｌ１Ｒは、第１光軸Ｓ１Ｒにおけるハーフミラー７１から被検眼ＥＲまでの間の光軸を示す）と、第２光路におけるハーフミラー７１から被検眼ＥＲまでの間の光軸Ｌ２Ｒ（光軸Ｌ２Ｒは、第２光軸Ｓ２Ｒにおけるハーフミラー７１から被検眼ＥＲまでの間の光軸を示す）と、を同軸とする。
【００５２】
例えば、ハーフミラー７１は、第１視標呈示部２０からの第１視標光束の一部を透過し、残りを反射する。例えば、制御部３０によって、第１視標呈示部２０の視標照明ランプ２４Ｒが点灯されることによって、第１視標呈示部２０から第１視標光束が出射される。例えば、第１視標呈示部２０から出射された第１視標光束の内、ハーフミラー７１を透過した第１視標光束は、被検眼ＥＲに導光される。これによって、被検眼ＥＲに第１検査視標を呈示することができる。
【００５３】
また、例えば、ハーフミラー７１は、第２視標呈示部６０からの第２視標光束の一部を透過し、残りの第２視標光束を反射する。例えば、制御部３０によって、第２視標呈示部６０のディスプレイ６１が点灯されることによって、第２視標呈示部６０から第２視標光束が出射される。例えば、第２視標呈示部６０から出射された第２視標光束の内、ハーフミラー７１によって反射された第２視標光束は、被検眼ＥＲに導光される。これによって、被検眼に第２検査視標を呈示することができる。このように、ハーフミラー７１によって、第１視標光束と第２視標光束が被検眼ＥＲに導光することができる。
【００５４】
＜制御系＞
例えば、制御部３０（図２参照）は、視力検査装置１の各部を統括・制御する。例えば、制御部７０は、ＣＰＵ（プロセッサ）、ＲＡＭ、ＲＯＭ等を含んで構成されてもよい。例えば、ＣＰＵは、視力検査装置１における各部材の駆動を制御する。例えば、ＲＡＭは、各種の情報を一時的に記憶する。例えば、ＲＯＭには、ＣＰＵが実行するプログラム等が記憶されている。なお、制御部３０は、複数の制御部（つまり、複数のプロセッサ）によって構成されてもよい。
【００５５】
例えば、制御部３０には、入力ボタン３、応答ボタン４、応答レバー５、スピーカ６、プリンタ７、ランプ８、内部照明ランプ１７Ｌ及び１７Ｒ、モータ２２、視標照明ランプ２４Ｌ及び２４Ｒ、記憶部（メモリ）３１、コントロールボックス４０、応答ボタン５０等が電気的に接続されている。例えば、メモリ３１は、電源の供給が遮断されても記憶内容を保持できる非一過性の記憶媒体であってもよい。例えば、メモリ３１としては、ハードディスクドライブ、フラッシュＲＯＭ、および、視力検査装置１に着脱可能に装着されるＵＳＢメモリ、等を使用することができる。例えば、メモリ３１には、検査プログラム（例えば、後述する自動検査モードにおいて用いられる自動検査プログラム、後述する手動検査モードにおいて用いられる手動検査プログラム、視力検査を行う際に用いられる第１検査プログラム、両眼視機能検査を行う際に用いられる第２検査プログラム等）が記憶されていてもよい。
【００５６】
＜制御動作＞
上記の構成を備える視力検査装置１の制御動作について、遠用視力を検査する場合を例に挙げて説明する。また、例えば、遠用視力を検査した後、遠用の両眼視機能を検査する場合を例に挙げて説明する。なお、本実施例における視力検査装置１では、遠用視力検査が右眼、左眼、両眼の順に連続して進行する。また、本実施例における視力検査装置１は、制御部３０が被検眼Ｅに呈示する検査視標を自動で選択する自動検査モードと、検者が被検眼Ｅに呈示する検査視標を手動で選択する手動検査モードと、を備える。
【００５７】
例えば、検者が視力検査装置１の図示なき電源を入れると、自動検査モードに設定される。もちろん、モニタ４１を操作して、検査モードを選択するようにしてもよい。また、検者によって、モニタ４１が操作され、遠用視力を検査する第１検査モードと、遠用両眼視機能を検査する第２検査モードと、の少なくともいずれかを実施するように選択を行う。本実施例においては、例えば、検者によって、モニタ４１が操作され、第１検査モードと第２検査モードが選択された場合を例に挙げて説明する。例えば、検者によって、モニタ４１が操作され、第１検査モードと第２検査モードが選択されると、制御部３０は、第１検査モードを実施するための第１検眼プログラムと、第２検査モードを実施するための第２検眼プログラムと、を実施するように設定する。なお、本実施例においては、第１検査モードを実施した後、第２検査モードを実施する構成を例に挙げて説明するが、これに限定されない。例えば、第２検査モードを実施した後、第１検査モードを実施するようにしてもよい。
【００５８】
例えば、検者は、被検者に呈示窓２を覗かせて、入力ボタン３を押す。被検者に入力ボタン３を押すよう指示してもよい。制御部３０は、入力ボタン３からの信号に応じて第１検査モードによる視力検査を開始する。このとき、例えば、スピーカ６からは、「視力を自動で計ります。軽くレバーを倒して下さい。」というように、最初の音声ガイドが発生される。被検者が音声ガイドに従って応答レバー５をいずれかの方向に倒すと、制御部３０はその信号を受けて視力検査装置１を可動状態にする。
【００５９】
例えば、制御部３０は、第１検査モードの設定を行う。例えば、制御部３０は、第１視標呈示部２０を点灯させる。例えば、制御部３０は、内部照明ランプ１７（内部照明ランプ１７Ｌ及び１７Ｒ）と、視標照明ランプ２４（視標照明ランプ２４Ｌ及び２４Ｒ）と、を点灯させる。また、例えば、制御部３０は、モータ２２を駆動することにより視標板２１を回転させ、視標窓１２（視標窓１２Ｌ及び１２Ｒ）に初期第１検査視標（例えば、視力値０．５の検査視標等）を配置する。スピーカ６からは「右手で軽くレバーを持ち、左手は手前のボタンに添えて、窓を覗いて下さい。」との音声ガイドが発生される。次に、「視力を計ります。輪の切れた方向（第１検査視標がランドルト環視標である場合）に軽くレバーを倒して下さい。輪の切れた方向が分からないときは、手前のボタンを押して下さい。」との音声ガイドが発生される。被検者が応答レバー５または応答ボタン４を用いて応答すると、被検眼の視力を判定するための第１検査プログラムが実行される。
【００６０】
例えば、第１検査プログラムでは、制御部３０の制御によってスピーカ６から「方向は？」との音声ガイドが発生される。被検者は、視標窓１２に呈示された第１検査視標の方向を判読して、応答レバー５をその方向に傾倒する。制御部３０は、第１検査視標の方向と、被検者が傾倒した応答レバー５の方向と、が一致しているかを判別する。例えば、制御部３０は、被検者の応答が正答であれば（すなわち、第１検査視標の方向と応答レバー５の方向とが一致していれば）、視標板２１を回転させて１段階高い視力値の第１検査視標を呈示する。また、例えば、制御部３０は、被検者の応答が誤答であれば（すなわち、第１検査視標の方向と応答レバー５の方向とが一致していなければ）、視標板２１を回転させて１段階低い視力値の第１検査視標を呈示する。
【００６１】
例えば、被検眼Ｅに呈示された第１検査視標の視力値及び方向は、メモリ３１に遂次記憶される。例えば、１段階高い視力値の第１検査視標を呈示した場合に、被検者の応答が誤答であったとき、または判読不能であったとき（応答ボタン４が操作されたとき）は、制御部３０が、第１検査視標の視力値を被検眼がみえていた段階まで戻し、第１検査視標の方向を変えて視力検査を続ける。例えば、制御部３０は、このようにして視標窓１２に呈示される第１検査視標を順次変更し、被検者の応答結果の正誤を判別する。例えば、制御部３０は、同一視力値の第１検査視標で２回以上の正答があれば、被検眼にその視力値があるものと判定する。
【００６２】
例えば、右被検眼に対して上述の遠用視力検査を行うと、左被検眼に対しても同様に遠用視力検査が行われる。これによって、被検者の右被検眼と左被検眼において、それぞれの検査結果が取得される。
【００６３】
ここで、例えば、制御部３０は、自動検査モードで得られた最終的な検査結果（最終視力値）と、手動検査モード設定時の判定基準（基準視力値）と、に基づいて、再検査の有無を判定する。なお、本実施例では、このような基準視力値が視力値０．７に設定されている。例えば、制御部３０は、自動検査モードで取得した最終視力値が、基準視力値である０．７を下回ったか否かを判定する。例えば、制御部３０は、最終視力値が基準視力値を上回るか、あるいは同じであった場合には、遠用視力検査を終了すると判定してもよい。また、例えば、制御部３０は、最終視力値が基準視力値を下回っていた場合には、再検査を行うと判定してもよい。
【００６４】
被検者の右被検眼と左被検眼において、それぞれの遠用視力検査の検査結果が取得されると、制御部３０は、検査モードを切り換える。例えば、制御部３０は、検査モードを第１検査モードから第２検査モードへと切り換える。例えば、制御部３０は、被検眼の遠用両眼視機能を検査するための第２検査プログラムを実行する。なお、本実施例においては、遠用両眼視機能の検査として、斜視検査を実施する場合を例に挙げて説明する。もちろん、その他の両眼視機能検査（例えば、開散力を検査する開散検査、輻輳力を検査する輻輳検査等）を実施してもよい。
【００６５】
例えば、制御部３０は、斜視検査を行うための第２検査視標として、左右の被検眼ＥＬ，ＥＲに第２検査視標を呈示する。例えば、左右の被検眼ＥＬ，ＥＲの両眼で第２検査視標を確認することによって、斜視検査が行われる。例えば、制御部３０は、斜視検査を行うための第２検査視標として、ディスプレイ６１に小屋と動物を表示する。例えば、左右の被検眼用に設けられた左右のディスプレイ６１において、一方に小屋を他方に動物を表示する。図４は、ディスプレイ６１の画面に表示される第２検査視標の一例を示す図である。例えば、左眼用ディスプレイ６１Ｌには、小屋の画像６６が表示される。例えば、右眼用のディスプレイ６１Ｒには動物の画像６７が表示される。
【００６６】
例えば、被検者の左被検眼ＥＬには、小屋の画像６６が呈示される。また、被検者の右被検眼ＥＲには、動物の画像６７が呈示される。図５は、被検眼が斜視眼でない場合における第２検査視標の一例を示す図である。図５に示されるように、例えば、被検眼が斜視眼でなく正常眼である場合、被検者は、動物の画像６７が小屋の画像６６の中に入っているように観察することができる。例えば、被検眼が斜視眼である場合、被検者は、動物の画像６７が小屋の画像６６の中に入っておらず、動物の画像６７が小屋の画像６６がずれているように観察することができる。なお、小屋の画像６６と動物の画像６７は、画像の中心位置が対応付けされており、斜視のない正常眼の場合に、小屋の画像６６と動物の画像６７の中心位置が一致し、動物の画像６７が小屋の画像６６に収まるように観察できるようになっている。
【００６７】
例えば、第２検査プログラムでは、制御部３０の制御によってスピーカ６から「動物が小屋に入っていますか？」との音声ガイドが発生される。被検者は、ディスプレイ６１に呈示された第２検査視標を判読して、応答ボタン５０又は応答ボタン４を押す。例えば、被検者は、動物が小屋に入っているように観察できる場合には、応答ボタン５０を押す。また、例えば、被検者は、動物が小屋に入っていないように観察できる場合には、応答ボタン４を押す。例えば、制御部３０は、応答ボタン５０が選択された場合には、正常眼であると判定し、判定結果を取得する。また、例えば、制御部３０は、応答ボタン４が選択された場合には、斜視眼の可能性があると判定し、判定結果を取得する。
【００６８】
なお、本実施例においては、斜視眼の可能性があるか否かをのみを判定する構成を例に挙げて説明したがこれに限定されない。例えば、小屋の画像６６と動物の画像６７との少なくとも一方を移動可能として、斜視量と斜視方向を取得するようにしてもよい。この場合、例えば、被検者に、小屋の画像６６の中に動物の画像６７に収まるように上下左右方向に移動させるように指示し、小屋の画像６６と動物の画像６７との少なくとも一方の移動量及び移動方向に基づいて、斜視量と斜視方向を取得するようにしてもよい。
【００６９】
以上のようにして、遠用視力検査結果及び遠用両眼視機能検査結果が取得される。例えば、遠用視力検査及び遠用両眼視機能検査を終了する場合、制御部３０の制御により、スピーカ６から「終わりました。装置の右側から検査結果が印刷されます。」と音声ガイドが発生される。このとき、プリンタ７から検査結果が出力される。また、このとき、検査結果がモニタ４１に表示されるとともに、検査結果がメモリ３１に記憶される。なお、検査終了時の音声ガイド、検査結果の印刷と表示、等は再検査が終了した場合も同様である。
【００７０】
なお、例えば、視力検査の再検査を行う場合、制御部３０は、検査モードを自動検査モードから手動検査モードに切り換える。手動検査モードが設定されると、制御部３０は、自動検査モードで最終視力値を判定した際の検査視標（最終視力判定時視標）をメモリ３１から読み出す。そして、制御部３０は、最終視力判定時視標と同じ視力値であり、最終視力判定時視標の方向に対して直交する方向をもつ検査視標を視標窓１２に呈示する。
【００７１】
また、制御部３０は、コントロールボックス４０が備えるモニタ４１に、方向選択部５０及び視力値選択部６０を表示させる。なお、制御部３０は、ランプ８を発光させて、検査モードが手動検査モードに設定されたこと（すなわち、再検査が必要になったこと）を検者に知らせてもよい。例えば、検者は、コントロールボックス４０を操作して、再検査を手動で行う。このとき、検者は、被検者に検査視標の見え方を確認したり、矯正レンズ等を用いて被検者の視力を調整したりしながら、遠用視力検査を進める。再検査が終了すると、前述と同様にプリンタ７から検査結果が出力される。
【００７２】
以上のように、本実施例において、視力検査装置は、第１視標光束を出射し、被検眼に第１検査視標を呈示する第１視標呈示部と、第１視標呈示部と異なる視標呈示部であって、第２視標光束を出射して、被検眼に第１検査視標よりも精細度の低い第２検査視標を呈示する第２視標呈示部と、を備える。これによって、例えば、精細度が高い検査視標と精細度が低い検査視標とを被検者に容易に呈示することが可能となり、安価で容易に種々の視機能検査を行うことができるとともに、視力検査を精度よく行うことができる。
【００７３】
また、例えば、視力検査装置は、第１視標呈示部からの第１視標光束が被検眼に導光される第１光路と、第２視標呈示部からの第２視標光束が被検眼に導光される第２光路と、切り換える光路切換手段を備えるようにしてもよい。これによって、例えば、第１光路と第２光路とを切り換えることによって、実施したい検査に応じた視標呈示部を選択して、種々の視標を被検者に容易に呈示することができる。
【００７４】
また、例えば、光路切換手段は、第１光路と、第２光路と、で共有される反射部材を備えるようにしてもよい。この場合、例えば、反射部材は、第１光路における反射部材から被検眼までの間の光軸と、第２光路における反射部材から被検眼までの間の光軸と、を同軸とするようにしてもよい。これによって、例えば、反射部材を用いた容易な構成で光路を切り換えることが可能となる。
【００７５】
＜変容例＞
なお、本実施例おいて、第１視標呈示部２０と、第２視標呈示部６０と、同時に点灯させることによって、被検眼に第１検査視標と、第２検査視標と、を同時に呈示させるようにしてもよい。例えば、第１視標呈示部２０と、第２視標呈示部６０と、の双方が点灯されることによって、ハーフミラー７１を介して、第１視標光束と第２視標光束とを同時に被検眼に導光することができる。これによって、被検眼に第１検査視標と第２検査視標とを同時に呈示することができる。一例として、第１検査視標として、静止する棒の検査視標を呈示させるとともに、第２検査視標として、第１検査視標に対して移動する棒の検査視標を呈示させるようにすることで、動的立体視検査視標を呈示することができる。上記のように、例えば、第１検査視標と第２検査視標を重ねて確認することができ、２つの検査視標の組み合わせから、より様々な種類の検査視標を呈示することが可能となる。例えば、２つの検査視標を組わせることで、実距離に近い状態での両眼視機能検査用視標の呈示を行うことができる。
【００７６】
なお、本実施例において、反射部材の傾斜角度を変更することによって、光路を切り換えるようにしてもよい。図６は、光路切換手段の変容例について示す図である。例えば、モータ７６が駆動されることによって、反射部材（例えば、全反射ミラー等）７５の傾斜角度を変更可能な構成を設ける。例えば、第１視標呈示部２０を用いる場合には、制御部３０は、モータ７６を駆動し、反射部材７５が第１視標呈示部２０の第１光路から外れるように、反射部材７５の傾斜角度を変更させる（例えば、図６の点線部の位置に移動）。これによって、反射部材が第１光路から外れ、第１視標呈示部２０からの第１視標光束が被検眼ＥＲに導光できる。また、例えば、第２視標呈示部６０を用いる場合には、制御部３０は、モータ７６を駆動し、第１視標呈示部２０の第１光路中に反射部材７５が配置されるとともに、第２視標呈示部６０からの第２視標光束が反射部材７５によって反射され被検眼ＥＲに導光されるように、反射部材７５の傾斜角度を変更する（例えば、図６の実線部の位置に移動）。これによって、第２視標呈示部６０からの第２視標光束が被検眼ＥＲに導光できる。上記のように、例えば、傾斜角度を変更することによって、より精度よく被検者に各視標光束を導光することができる。これによって、被検者に良好に検査視標を呈示することが可能となり、精度のよい種々の視機能検査を行うことができる。なお、第２視標呈示部６０の呈示距離を変更した場合に、反射部材の傾斜角度を変更して、視標光束をより良好に被検眼に導光できるようにしてもよい。
【符号の説明】
【００７７】
１  視力検査装置
２  呈示窓
３  入力ボタン
４  応答ボタン
５  応答レバー
６  スピーカ
７  プリンタ
８  ランプ
９  筐体
２０  第１視標呈示部
３０  制御部
３１  メモリ
４０  コントロールボックス
５０  応答ボタン
６０  第２視標呈示部
６２  呈示距離変更手段
７０  光路切換手段
７１  ハーフミラー
【図１】
2019118501.tif 000003
【図２】
2019118501.tif 000004
【図３】
2019118501.tif 000005
【図４】
2019118501.tif 000006
【図５】
2019118501.tif 000007
【図６】
2019118501.tif 000008